(57)【要約】【課題】会員登録を効率よく即時に行える情報処理装置、そのデータ処理方法、およびプログラムを提供する。【解決手段】情報処理装置１００は、顧客情報管理装置７０により予め確保され、かつ、顧客へ未だ割当てられていない複数の会員ＩＤを保持する会員ＩＤ格納部１２０と、オペレータによる操作に伴いオペレータ端末３０から送信される、顧客のメールアドレスを含む個人情報と証明書画像を受信し、会員ＩＤ格納部１２０から会員ＩＤを割当てる情報受信部１０２と、会員ＩＤに対するパスワードを取得し、オペレータ端末３０に提示する提示部１０４と、会員ＩＤとパスワードを用いるウェブサイトのＵＲＬを顧客メールアドレス宛に送信する送信部１０６と、顧客情報の少なくとも一部と証明書画像を予め確保されていた複数の会員ＩＤ中の割当てられた会員ＩＤに対応する情報として顧客情報管理装置７０に登録させる顧客情報登録部１０８と、を備える。【選択図】図１
2014081724.tif 000002
【特許請求の範囲】
【請求項１】
顧客情報管理装置により予め確保されており、かつ、顧客へ未だ割り当てられていない複数の会員ＩＤを保持する保持手段と、
オペレータによる操作に伴いオペレータ端末から送信される、顧客のユーザ端末のメールアドレスを含む個人情報と該顧客の証明書の画像とを受信し、該受信された個人情報および証明書の画像に対応する会員ＩＤを、前記保持手段により保持される複数の前記会員ＩＤから割り当てる情報受信手段と、
前記情報受信手段により割り当てられた会員ＩＤに対応するパスワードを取得し、該会員ＩＤと該パスワードを前記オペレータ端末に提示する提示手段と、
前記オペレータ端末に提示された前記顧客の前記会員ＩＤと前記パスワードを用いてログインできる会員用ウェブサイトのＵＲＬを含むメールを、前記顧客の前記ユーザ端末の前記メールアドレス宛に送信する送信手段と、
前記情報受信手段が受信した前記顧客の個人情報の少なくとも一部と、前記証明書の画像とを、予め確保されていた複数の前記会員ＩＤの中の前記情報受信手段により割り当てられた会員ＩＤに対応する情報として前記顧客情報管理装置に登録させる顧客情報登録手段と、を備える情報処理装置。
【請求項２】
請求項１に記載の情報処理装置において、
前記保持手段は、複数の前記会員ＩＤのそれぞれにログイン停止フラグを予め設定し、
前記情報処理装置は、
前記顧客による会員ＩＤとパスワードの入力の受付に呼応して、前記会員ＩＤと前記パスワードを関連付けて会員情報として記憶する会員情報記憶装置を参照し、受け付けた前記会員ＩＤと前記パスワードを前記会員情報と照合する認証手段と、
前記送信手段が前記メールを送信する前記顧客の前記会員ＩＤに関連付けられた前記ログイン停止フラグを解除するフラグ解除手段と、
前記認証手段が認証する際、前記顧客の前記会員ＩＤに関連付けられたログイン停止フラグを参照し、前記ログイン停止フラグが解除されている場合に、認証処理を行い、認証後に前記ＵＲＬの会員用ウェブサイトへのログインを許可し、前記ログイン停止フラグが設定されている場合は、不正利用と判定し、前記ＵＲＬの会員用ウェブサイトへのログインを禁止するログイン制御手段と、をさらに備える情報処理装置。
【請求項３】
請求項２に記載の情報処理装置において、
前記提示手段が前記顧客に前記会員ＩＤとともに提示する前記パスワードを仮のパスワードとし、互いに関連付けて前記顧客の前記会員情報として、前記会員情報記憶装置に格納する仮パスワード設定手段と、
前記情報受信手段が前記顧客の前記個人情報と前記証明書の画像と関連付けた前記会員ＩＤに対し、即時ＩＤ発行フラグを設定する即時ＩＤ発行フラグ設定手段と、
前記顧客の前記ユーザ端末から前記ＵＲＬの前記会員用ウェブサイトにアクセスされたとき、前記認証手段が、認証する前記会員ＩＤに関連付けられた前記即時ＩＤ発行フラグを参照し、前記即時ＩＤ発行フラグが設定されている場合、前記仮のパスワードの変更を前記顧客に促し、新たなパスワードを受け付けて前記会員情報記憶装置の前記会員情報を更新するパスワード更新手段と、を備え、
前記即時ＩＤ発行フラグ設定手段は、前記パスワード更新手段が前記パスワードを更新したとき、前記即時ＩＤ発行フラグを解除する情報処理装置。
【請求項４】
請求項３に記載の情報処理装置において、
前記提示手段が、前記仮のパスワードを発行したときから、前記仮のパスワードの有効期限を設定する有効期限管理手段を備え、
前記パスワード更新手段は、前記仮のパスワードの有効期限を確認し、前記有効期限内の場合に、新たなパスワードを受け付け、前記会員情報記憶装置の前記会員情報のパスワードを更新する情報処理装置。
【請求項５】
請求項１乃至４いずれかに記載の情報処理装置において、
前記顧客情報登録手段は、
前記情報受信手段が受信した前記顧客の個人情報の少なくとも一部と、前記証明書の画像とを、所定期間蓄積し、前記所定期間分をまとめて前記顧客情報管理装置に送信して登録させる情報処理装置。
【請求項６】
請求項１乃至５いずれかに記載の情報処理装置において、
前記オペレータ端末の撮像機能を利用して前記顧客の前記証明書を撮像して得られた前記証明書の画像を取得するとともに、前記オペレータ端末から前記証明書の画像を削除させる画像取得手段を備え、
前記情報受信手段は、前記画像取得手段が取得した前記証明書の画像を受信する情報処理装置。
【請求項７】
請求項１乃至６いずれかに記載の情報処理装置において、
前記情報受信手段が、
前記オペレータ端末から送信される、前記顧客の個人情報と前記顧客の前記証明書の画像を受信するとき、
前記オペレータによる操作により送信される、前記顧客の前記本人確認の作業の完了を示す、前記オペレータの識別情報を受信し、
受信した前記オペレータの識別情報を予め定めたオペレータの識別情報と照合し、合致した場合に、前記本人確認の作業が完了したと判別する情報処理装置。
【請求項８】
請求項１乃至７いずれかに記載の情報処理装置において、
前記顧客情報登録手段は、前記情報受信手段が受信した前記顧客の前記証明書の画像のうち、前記顧客情報管理装置に登録した前記顧客の前記証明書の画像を削除する情報処理装置。
【請求項９】
情報処理装置が、記憶部を有し、
顧客情報管理装置により予め確保されており、かつ、顧客へ未だ割り当てられていない複数の会員ＩＤを前記記憶部に保持し、
前記情報処理装置が、
オペレータによる操作に伴いオペレータ端末から送信される、顧客のユーザ端末のメールアドレスを含む個人情報と該顧客の証明書の画像とを受信し、該受信された個人情報および証明書の画像に対応する会員ＩＤを、前記記憶部に保持される複数の前記会員ＩＤから割り当て、
割り当てられた会員ＩＤに対応するパスワードを取得し、該会員ＩＤと該パスワードを前記オペレータ端末に提示し、
前記オペレータ端末に提示された前記顧客の前記会員ＩＤと前記パスワードを用いてログインできる会員用ウェブサイトのＵＲＬを含むメールを、前記顧客の前記ユーザ端末の前記メールアドレス宛に送信し、
受信した前記顧客の個人情報の少なくとも一部と、前記証明書の画像とを、予め確保されていた複数の前記会員ＩＤの中の前記割り当てられた会員ＩＤに対応する情報として前記顧客情報管理装置に登録させる情報処理装置のデータ処理方法。
【請求項１０】
顧客情報管理装置により予め確保されており、かつ、顧客へ未だ割り当てられていない複数の会員ＩＤを保持する記憶デバイスにアクセスできる情報処理装置を実現させるためのコンピュータに、
オペレータによる操作に伴いオペレータ端末から送信される、顧客のユーザ端末のメールアドレスを含む個人情報と該顧客の証明書の画像とを受信し、該受信された個人情報および証明書の画像に対応する会員ＩＤを、前記記憶デバイスに保持される複数の前記会員ＩＤから割り当てる手順、
割り当てられた会員ＩＤに対応するパスワードを取得し、該会員ＩＤと該パスワードを前記オペレータ端末に提示する手順、
前記オペレータ端末に提示された前記顧客の前記会員ＩＤと前記パスワードを用いてログインできる会員用ウェブサイトのＵＲＬを含むメールを、前記顧客の前記ユーザ端末の前記メールアドレス宛に送信する手順、
受信した前記顧客の個人情報の少なくとも一部と、前記証明書の画像とを、予め確保されていた複数の前記会員ＩＤの中の前記割り当てられた会員ＩＤに対応する情報として前記顧客情報管理装置に登録させる手順を実行させるためのプログラム。
【発明の詳細な説明】
【技術分野】
【０００１】
本発明は、情報処理装置、そのデータ処理方法、およびプログラムに関し、特に、会員登録を行う情報処理装置、そのデータ処理方法、およびプログラムに関する。
【背景技術】
【０００２】
電子申請によるＩＤカードの発行システムの一例が特許文献１に記載されている。この特許文献１に記載されたＩＤカード発行システムは、本人認証サーバが本人認証機関を使用することにより、申請者による電子申請に対応した、人定事項データと顔画像データによる本人確認を本人認証機関を用いてシステム上で自動的に行うことができる。
【先行技術文献】
【特許文献】
【０００３】
【特許文献１】特開２００３−６７５４１号公報
【発明の概要】
【発明が解決しようとする課題】
【０００４】
しかしながら、上記文献記載の技術は、以下の点で改善の余地を有していた。
申請者が申請のために出頭する回数は減らすことはできるが、本人認証サーバに予め申請者本人の画像を撮影して登録する必要や、住民基本台帳ネットワークから個人情報を取得する必要があり、構成が大がかりである。
特許文献１にも記載されているように、従来、申請に基づいたＩＤカード等の発行の場合、申請者が必要書類を取り揃えて、郵送または受付窓口に出頭して申請し、審査された後、数日後に発行されるといった運用が実施されているため、申請したその場で直ぐにＩＤカード等が発行できないという問題点があった。
特許文献１に記載のようなＩＤカードの発行に限らず、たとえば、資格審査が必要な会員登録においても同様な問題があった。
【０００５】
本発明は上記事情に鑑みてなされたものであり、その目的とするところは、会員登録を効率よく即時に行える情報処理装置、そのデータ処理方法、およびプログラムを提供することにある。
【課題を解決するための手段】
【０００６】
本発明によれば、顧客情報管理装置により予め確保されており、かつ、顧客へ未だ割り当てられていない複数の会員ＩＤを保持する保持手段と、
オペレータによる操作に伴いオペレータ端末から送信される、顧客のユーザ端末のメールアドレスを含む個人情報と該顧客の証明書の画像とを受信し、該受信された個人情報および証明書の画像に対応する会員ＩＤを、前記保持手段により保持される複数の前記会員ＩＤから割り当てる情報受信手段と、
前記情報受信手段により割り当てられた会員ＩＤに対応するパスワードを取得し、該会員ＩＤと該パスワードを前記オペレータ端末に提示する提示手段と、
前記オペレータ端末に提示された前記顧客の前記会員ＩＤと前記パスワードを用いてログインできる会員用ウェブサイトのＵＲＬを含むメールを、前記顧客の前記ユーザ端末の前記メールアドレス宛に送信する送信手段と、
前記情報受信手段が受信した前記顧客の個人情報の少なくとも一部と、前記証明書の画像とを、予め確保されていた複数の前記会員ＩＤの中の前記情報受信手段により割り当てられた会員ＩＤに対応する情報として前記顧客情報管理装置に登録させる顧客情報登録手段と、を備える情報処理装置が提供される。
【０００７】
本発明によれば、情報処理装置が、記憶部を有し、
顧客情報管理装置により予め確保されており、かつ、顧客へ未だ割り当てられていない複数の会員ＩＤを前記記憶部に保持し、
前記情報処理装置が、
オペレータによる操作に伴いオペレータ端末から送信される、顧客のユーザ端末のメールアドレスを含む個人情報と該顧客の証明書の画像とを受信し、該受信された個人情報および証明書の画像に対応する会員ＩＤを、前記記憶部に保持される複数の前記会員ＩＤから割り当て、
割り当てられた会員ＩＤに対応するパスワードを取得し、該会員ＩＤと該パスワードを前記オペレータ端末に提示し、
前記オペレータ端末に提示された前記顧客の前記会員ＩＤと前記パスワードを用いてログインできる会員用ウェブサイトのＵＲＬを含むメールを、前記顧客の前記ユーザ端末の前記メールアドレス宛に送信し、
受信した前記顧客の個人情報の少なくとも一部と、前記証明書の画像とを、予め確保されていた複数の前記会員ＩＤの中の前記割り当てられた会員ＩＤに対応する情報として前記顧客情報管理装置に登録させる情報処理装置のデータ処理方法が提供される。
【０００８】
本発明によれば、顧客情報管理装置により予め確保されており、かつ、顧客へ未だ割り当てられていない複数の会員ＩＤを保持する記憶デバイスにアクセスできる情報処理装置を実現させるためのコンピュータに、
オペレータによる操作に伴いオペレータ端末から送信される、顧客のユーザ端末のメールアドレスを含む個人情報と該顧客の証明書の画像とを受信し、該受信された個人情報および証明書の画像に対応する会員ＩＤを、前記記憶デバイスに保持される複数の前記会員ＩＤから割り当てる手順、
割り当てられた会員ＩＤに対応するパスワードを取得し、該会員ＩＤと該パスワードを前記オペレータ端末に提示する手順、
前記オペレータ端末に提示された前記顧客の前記会員ＩＤと前記パスワードを用いてログインできる会員用ウェブサイトのＵＲＬを含むメールを、前記顧客の前記ユーザ端末の前記メールアドレス宛に送信する手順、
受信した前記顧客の個人情報の少なくとも一部と、前記証明書の画像とを、予め確保されていた複数の前記会員ＩＤの中の前記割り当てられた会員ＩＤに対応する情報として前記顧客情報管理装置に登録させる手順を実行させるためのプログラムが提供される。
【０００９】
なお、以上の構成要素の任意の組合せ、本発明の表現を方法、装置、システム、記録媒体、コンピュータプログラムなどの間で変換したものもまた、本発明の態様として有効である。
【００１０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１１】
また、本発明のデータ処理方法およびコンピュータプログラムには複数の手順を順番に記載してあるが、その記載の順番は複数の手順を実行する順番を限定するものではない。このため、本発明のデータ処理方法およびコンピュータプログラムを実施するときには、その複数の手順の順番は内容的に支障のない範囲で変更することができる。
【００１２】
さらに、本発明のデータ処理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１３】
本発明によれば、会員登録を効率よく即時に行える情報処理装置、そのデータ処理方法、およびプログラムが提供される。
【図面の簡単な説明】
【００１４】
【図１】本発明の実施の形態に係る情報処理装置の構成を示す機能ブロック図である。
【図２】本発明の実施の形態に係る情報処理システムのオペレータ端末の構成を示すブロック図である。
【図３】本発明の実施の形態に係る情報処理システムのオペレータ端末に表示される個人情報入力画面の一例を示す図である。
【図４】本発明の実施の形態に係る情報処理システムのオペレータ端末に表示される内容確認画面の一例を示す図である。
【図５】本発明の実施の形態に係る情報処理システムのオペレータ端末に表示される登録画面の一例を示す図である。
【図６】本発明の実施の形態に係る情報処理システムのオペレータ端末に表示される登録完了画面の一例を示す図である。
【図７】本発明の実施の形態に係る情報処理装置の動作の一例を示すフローチャートである。
【図８】本発明の実施の形態に係る情報処理装置の構成を示す機能ブロック図である。
【図９】本発明の実施の形態に係る情報処理装置の動作の一例を示すフローチャートである。
【図１０】本発明の実施の形態に係る情報処理装置の構成を示す機能ブロック図である。
【図１１】本発明の実施の形態に係る情報処理装置の動作の一例を示すフローチャートである。
【発明を実施するための形態】
【００１５】
以下、本発明の実施の形態について、図面を用いて説明する。尚、すべての図面において、同様な構成要素には同様の符号を付し、適宜説明を省略する。
【００１６】
（第１の実施の形態）
図１は、本発明の実施の形態に係る情報処理装置１００の構成を示す機能ブロック図である。
本発明の実施の形態に係る情報処理システム１は、たとえば、本人確認を行った上で登録される会員に対し、所定のサービス、たとえば、会員専用ウェブサイトの閲覧、特典コンテンツ配信、ＤＭ送付、キャンペーン招待等の特典情報提供、試供品やノベルティ配布を提供するものである。
【００１７】
本発明の情報処理システム１では、特に、サービス提供にあたり、利用者がサービスを受ける者として適格であるかどうかを判断する目的で本人確認を必要とする。こうした方式は、たばこや酒類等、法律によって未成年への販売が禁止されている商品の情報提供の規制に好適に適用することができる。
【００１８】
本発明における「サービス」は様々な形態のサービスを含むが、たとえば、一定要件を満たす者に対してのみ提供が許可される性質のサービスを含むものとすることができる。具体的には、たばこ、酒類等、法律等により決められた年令に到達した者に対してのみ販売を許可する性質の商品に関連する情報提供とすることができる。さらに、薬など特定疾病者のみなどの利用制限があるもの、または、学生割引や、お得意様や会員特典等で販売されるプレミアム商品など特定の資格による利用制限があるものなどを含むことができる。
【００１９】
本発明における「顧客」とは、上述したような商品を購入したり、サービスを利用する者をいう。また、本発明における「会員」とは、本発明に係る情報処理システム１が提供するサービスの利用資格を取得し、会員登録された者をいう。
【００２０】
本人確認を行い、会員登録を行うためには、所定の手続きが必要である。通常は、まず、サービス利用希望者が、所定のウェブページから個人情報と本人確認用の証明書の画像を入力して申込みをする。その後、管理者が、証明書の画像と個人情報が一致しているかを目視で確認し、会員登録が終了し、サービス利用希望者に会員ＩＤを通知する。そして、サービス利用希望者はサービスを利用できるようになる。したがって、サービス利用希望者が、申込みを行ってから、会員登録が終了し、実際にサービスを利用できるようになるまで、数日を要してしまうこともある。
【００２１】
本発明は、この会員登録を申込時に直ぐに終了させ、サービス利用希望者が直ぐにサービスを利用できるようにするものである。
本実施形態では、以下、商品購入者やサービス利用者等の顧客が、商品やサービスを宣伝するためのキャンペーン会場や店舗等に来場し、その場で会員登録の申込みを行った時に、情報処理装置１００により直ぐに会員ＩＤを発行する例を説明する。会員登録を行う会場には、専門のオペレータが居て、顧客に案内をしながら、会員登録作業を進めていくものとする。
【００２２】
本実施形態において、情報処理システム１は、情報処理装置１００と、ユーザ端末１０と、オペレータ端末３０と、顧客情報管理装置７０と、を備える。
【００２３】
本発明の実施の形態に係る情報処理装置１００は、顧客情報管理装置７０により予め確保されており、かつ、顧客へ未だ割り当てられていない複数の会員ＩＤを保持する保持部（会員ＩＤ格納部１２０）と、オペレータによる操作に伴いオペレータ端末３０から送信される、顧客のユーザ端末１０のメールアドレスを含む個人情報と該顧客の証明書の画像とを受信し、該受信された個人情報および証明書の画像に対応する会員ＩＤを、会員ＩＤ格納部１２０により保持される複数の会員ＩＤから割り当てる情報受信部１０２と、情報受信部１０２により割り当てられた会員ＩＤに対応するパスワードを取得し、該会員ＩＤと該パスワードをオペレータ端末３０に提示する提示部１０４と、オペレータ端末３０に提示された顧客の会員ＩＤとパスワードを用いてログインできる会員用ウェブサイトのＵＲＬを含むメールを、顧客のユーザ端末１０のメールアドレス宛に送信する送信部１０６と、情報受信部１０２が受信した顧客の個人情報の少なくとも一部と、証明書の画像とを、予め確保されていた複数の会員ＩＤの中の情報受信部１０２により割り当てられた会員ＩＤに対応する情報として顧客情報管理装置７０の顧客情報データベース７２に登録させる顧客情報登録部１０８と、を備える。
【００２４】
情報処理装置１００は、会員登録された顧客に、たとえば、会員専用ウェブページの提供、特典コンテンツ配信、またはダイレクトメール送信等の各種サービスを提供するウェブサーバである。
【００２５】
図１に示すように、本実施形態の情報処理装置１００は、情報受信部１０２と、提示部１０４と、送信部１０６と、顧客情報登録部１０８と、会員情報格納部１１０と、を備える。
【００２６】
また、情報処理装置１００の各構成要素は、以下、図示しないが、ＣＰＵ（Central Processing Unit）、メモリ、メモリにロードされた本図の構成要素を実現するプログラム、そのプログラムを格納するハードディスクなどの記憶ユニット、ネットワーク接続用インタフェースを備える任意のコンピュータのハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
また、以下の各図において、本発明の本質に関わらない部分の構成については省略してあり、図示されていない。
【００２７】
本実施形態のコンピュータプログラムは、顧客情報管理装置７０により予め確保されており、かつ、顧客へ未だ割り当てられていない複数の会員ＩＤを保持する記憶デバイス（会員ＩＤ格納部１２０）にアクセスできる情報処理装置１００を実現させるためのコンピュータに、オペレータによる操作に伴いオペレータ端末３０から送信される、顧客のユーザ端末１０のメールアドレスを含む個人情報と該顧客の証明書の画像とを受信し、該受信された個人情報および証明書の画像に対応する会員ＩＤを、会員ＩＤ格納部１２０に保持される複数の会員ＩＤから割り当てる手順、割り当てられた会員ＩＤに対応するパスワードを取得し、該会員ＩＤと該パスワードをオペレータ端末３０に提示する手順、オペレータ端末３０に提示された顧客の会員ＩＤとパスワードを用いてログインできる会員用ウェブサイトのＵＲＬを含むメールを、顧客のユーザ端末１０のメールアドレス宛に送信する手順、受信した顧客の個人情報の少なくとも一部と、証明書の画像とを、予め確保されていた複数の会員ＩＤの中の割り当てられた会員ＩＤに対応する情報として顧客情報管理装置７０の顧客情報データベース７２に登録させる手順、を実行させるように記述されている。
【００２８】
本実施形態のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、ネットワークを通じてコンピュータにダウンロードされ、メモリにロードされてもよい。
【００２９】
本実施形態において、オペレータが、オペレータ端末３０を利用して、情報処理装置１００が提供するウェブサイトにアクセスし、所定のウェブページを表示させ、顧客とともに閲覧しながら会員登録作業を進めていく。または、他の実施形態において、オペレータ端末３０が、会員登録処理用のアプリケーションプログラムを実行し、情報処理装置１００に情報を送信する構成とすることもできる。
【００３０】
情報受信部１０２は、ネットワーク３を介してオペレータ端末３０に、顧客の個人情報および証明書の画像を入力させるフォームを提供することができる。たとえば、図３に示すように、個人情報入力画面１５０をオペレータ端末３０上に表示させる。顧客またはオペレータが、オペレータ端末３０を用いて、個人情報入力画面１５０の個人情報入力欄１５２の入力フォームに従い個人情報の入力を行うことができる。そして、確認操作ボタン１５４を操作して図４に示す内容確認画面１６０をオペレータ端末３０上に表示する。
【００３１】
この後、オペレータ端末３０の撮像部５０（図２）を利用して証明書の画像の撮影を行う操作ガイダンスに従い、顧客は証明書を撮影し、証明書の画像を取得する。その結果、登録確認画面１７０がオペレータ端末３０に表示される。登録確認画面１７０は、個人情報表示部１７２と、証明書画像表示部１７４と、登録操作ボタン１７６と、を含む。図５のように、登録確認画面１７０に、個人情報表示部１７２と証明書画像表示部１７４が一緒に表示されていることで、証明書に記載されている情報と入力された情報が一致しているかを容易に確認することができる。
【００３２】
そして、情報の確認ができ、修正がなければ、図５の登録確認画面１７０の登録操作ボタン１７６が操作され、オペレータ端末３０から情報処理装置１００に入力された個人情報と証明書の画像が送信される。情報受信部１０２は、オペレータ端末３０から情報を受信する。そして、会員情報格納部１１０に格納された後、提示部１０４が、オペレータ端末３０に図６の登録完了画面１８０を表示させる。登録完了画面１８０には、顧客に割り当てられた会員ＩＤと、パスワードを提示する。
【００３３】
このようにして、情報受信部１０２は、顧客またはオペレータが、オペレータ端末３０を用いて入力した顧客の個人情報および証明書の画像等を、ネットワーク３を介して受信する。
証明書の画像は、上述したように、オペレータ端末３０の撮像部を用いて撮影して取得することができる。
【００３４】
このとき、オペレータ端末３０を利用して、オペレータは、入力された個人情報と証明書の画像とが一致していること、また、証明書の内容、たとえば、顔写真と顧客本人が一致していることを確認する。このオペレータによる顧客の本人確認の作業に伴って、情報受信部１０２は情報を受け付けるものとする。
【００３５】
本人確認の作業は、たとえば、オペレータ端末３０上で、オペレータが本人を確認したことを証明するために、オペレータにのみ知らされているスタッフＩＤの入力操作を受け付けることで行うことができる。
情報受信部１０２は、オペレータ端末３０から送信されたスタッフＩＤが、正規のものかを確認した上で、送信された情報を受け付けるものとする。
【００３６】
すなわち、本実施形態において、情報受信部１０２は、オペレータ端末３０から送信される顧客の個人情報と顧客の証明書の画像を受信するとき、オペレータによる操作により送信される、顧客の本人確認の作業の完了を示す、オペレータの識別情報（スタッフＩＤ）を受信し、受信したオペレータの識別情報（スタッフＩＤ）を予め定めたオペレータの識別情報（スタッフＩＤ）と照合し、合致した場合に、本人確認の作業が完了したと判別する。
【００３７】
なお、オペレータ端末３０上で、スタッフＩＤを入力する替わりに、オペレータに事前に配布されているスタッフＩＤが記録された媒体、たとえば、ＱＲコード（登録商標）を印刷された用紙、あるいは、スタッフＩＤが記録されたＵＳＢメモリ等を、オペレータ端末３０に読み取らせることで、スタッフＩＤを受け付けることもできる。これにより、スタッフＩＤの入力ミスや、不正操作を防ぐことができる。
【００３８】
なお、情報受信部１０２の処理は、オペレータ端末３０上で、専用のアプリケーションプログラムを実行させることで実現させてもよい。たとえば、オペレータ端末３０の表示部４６に顧客の個人情報を入力させるフォームを提示し、操作部４２を用いて顧客が個人情報の入力を行うとともに、撮像部５０を用いて証明書を撮影して証明書の画像を取得し、携帯電話網通信部３８または無線ＬＡＮ通信部４０によりオペレータ端末３０から情報処理装置１００に送信してもよい。
情報受信部１０２は、オペレータ端末３０から送信された情報を受信し、受け付けることができる。
【００３９】
本実施形態において、情報受信部１０２が受け付ける個人情報は、顧客のユーザ端末１０で受信可能なメールアドレス、氏名、生年月日、性別、電話番号、住所等を含む。また、証明書とは、たとえば、運転免許証、健康保険証、住民基本台帳カード、学生証、パスポート等の公的な証明書を含む。
【００４０】
たとえば、メールアドレスは、情報入力フォーム上のテキスト入力欄への入力を受け付けてもよい。あるいは、顧客に、ユーザ端末１０を用いて、メールアドレス登録処理用メール作成情報を記録したＱＲコード等のバーコードを読み取らせ、空メールを送信させることで、ユーザ端末１０から情報処理装置１００がメールを受信し、そのメールアドレスを登録してもよい。この構成によれば、メールアドレスの入力ミスや虚偽の申告を防ぐことができる。
【００４１】
顧客がメールを送信した後に、オペレータ端末３０では、ユーザ端末１０から受信したメールに基づいて取得したメールアドレスを提示し、顧客およびオペレータが確認できる構成とすることもできる。このメールアドレスは、ユーザ端末１０に会員用ウェブサイトのＵＲＬを送信する際に使用される。さらに、情報受信部１０２は、ユーザ端末１０のメールアドレスに追加して、他の連絡先として顧客の別のメールアドレスを受信し、会員情報格納部１１０に格納してもよい。
【００４２】
情報受信部１０２が受信した個人情報と証明書の画像は、会員ＩＤ格納部１２０に保持されている複数の会員ＩＤから選択された一つと関連付けられて会員情報格納部１１０に格納される。会員ＩＤは、キャンペーンで会員登録されると予想される人数分を予め複数発行し、会員ＩＤ格納部１２０に格納しておいたものを使用する。
【００４３】
情報受信部１０２により使用された会員ＩＤは、会員ＩＤ格納部１２０から削除、または、既に使用済みであることを示す情報を会員ＩＤ格納部１２０、会員情報格納部１１０または情報処理装置１００のメモリに記憶する。以後、他の顧客の情報を受信した時は、未使用の会員ＩＤを使用するものとする。
【００４４】
会員情報格納部１１０は、情報受信部１０２が受信した情報を、会員ＩＤと関連付けて格納する。なお、情報受信部１０２が受信した情報のうち、後述する顧客情報登録部１０８により顧客情報管理装置７０に少なくとも一部が登録された後、たとえば、証明書の画像や、氏名、住所等の秘匿性が高い個人情報は会員情報格納部１１０から削除される。すなわち会員情報格納部１１０には、情報受信部１０２が受信した情報のうち一部のみ、たとえば、会員ＩＤ、パスワード、メールアドレス、生年月日、性別、居住地域情報（たとえば、都道府県コード等）等、ウェブサーバとして最低限必要な会員情報のみを残す。
【００４５】
提示部１０４は、情報受信部１０２が会員ＩＤに関連付けて顧客の個人情報と証明書の画像を受信したとき、会員ＩＤに関連付けてパスワードを生成し、会員ＩＤとパスワードを、ネットワーク３を介してオペレータ端末３０の表示部の画面上に表示させて顧客に提示する。
【００４６】
送信部１０６は、顧客に提示した顧客の会員ＩＤとパスワードを用いてログインできる会員用ウェブサイトのＵＲＬを含むメールを、顧客のユーザ端末１０のメールアドレス宛に送信する。
顧客は、ユーザ端末１０に届いたメールに記載されている会員用ウェブサイトのＵＲＬにアクセスし、提示部１０４により提示された会員ＩＤとパスワードを用いて会員用ウェブサイトにログインする。
【００４７】
なお、本発明の情報処理システム１において、各装置間における情報通信時には、必要に応じて、暗号化および復号処理等を行い、情報の漏洩を防ぐ等のセキュリティ対策を施すものとする。
【００４８】
顧客情報登録部１０８は、上述したように、情報受信部１０２が受信し、会員情報格納部１１０に保持されている顧客の個人情報の少なくとも一部と、証明書の画像とを、顧客情報管理装置７０の顧客情報データベース７２に登録させる。顧客情報データベース７２に登録した後は、上述したように、証明書の画像や氏名、住所等の個人情報は会員情報格納部１１０から削除し、一部の情報のみを残す。
【００４９】
なお、情報受信部１０２が受信した情報は、他の記憶装置に格納し、その記憶装置から情報処理装置１００が利用する情報のみを取り出し、会員情報格納部１１０に格納してもよい。そして、他の記憶装置に格納された情報は、顧客情報管理装置７０に送信された後、全て削除する構成としてもよい。
【００５０】
本実施形態において、顧客情報登録部１０８は、情報受信部１０２が受信した顧客の個人情報の少なくとも一部と、証明書の画像とを、所定期間会員情報格納部１１０に蓄積し、所定期間分をまとめて顧客情報管理装置７０にネットワーク５を介して送信し、顧客情報データベース７２に登録させる。
【００５１】
セキュリティ上の観点から、本実施形態において、情報処理装置１００と顧客情報管理装置７０の間は常時接続されていない。そのため、本実施形態の顧客情報登録部１０８は、たとえば、所定期間毎の顧客情報管理装置７０からの要求に応じて、複数の会員の情報をまとめて送信するものとする。
【００５２】
ユーザ端末１０は、たとえば、キャンペーン会場に訪れた顧客が所持している携帯電話機、スマートフォン、タブレット端末等であり、ネットワーク３に図示されない基地局または中継局等を介して接続可能な携帯端末である。ユーザ端末１０は、メールを送受信できる機能と、ネットワーク３上のウェブサイトにアクセスし、閲覧できる機能を備える。さらに、ユーザ端末１０は、ＱＲコード等を撮影し、読み取り、メールアドレスやＵＲＬアドレスを取得する機能を備える。これらの機能は、一般的な携帯端末の機能であり、本発明の本質に関わらないので詳細な説明は省略する。
【００５３】
ユーザ端末１０は、図示しないが、ＣＰＵと、記憶デバイスと、操作部と、表示部と、音声入出力部と、携帯電話網通信部と、無線ＬＡＮ通信部と、を備える。
【００５４】
記憶デバイスは、たとえば、ＲＯＭ、ＲＡＭ、フラッシュメモリ、またはディスクドライブ等であり、基本プログラムおよびアプリケーションプログラム、ならびに、各プログラムが動作するための設定データや一時保存データ、ユーザデータ等を記憶する。
【００５５】
操作部は、操作キー、操作ボタン、スイッチ、ジョグダイヤル、タッチパッド、表示部と一体になったタッチパネル等を含む。表示部は、ＬＥＤ（Light Emitting Diode）表示器や、液晶ディスプレイ、有機ＥＬ（ElectroLuminescence）ディスプレイ等を含む。音声入出力部は、音声出力するスピーカ、および音声入力するマイク等を含む。
【００５６】
携帯電話網通信部は、アンテナ（不図示）を介して、３Ｇ（3rd Generation：第３世代携帯電話）方式で、携帯通信網（不図示）に基地局（不図示）を介して接続して通信する。ユーザ端末１０は、携帯通信網からインターネット等のネットワーク３に接続することができる。
【００５７】
無線ＬＡＮ通信部は、アンテナ（不図示）を介して、無線ＬＡＮ、たとえば、IEEE 802.11規格に準拠した方式で、中継機（不図示）と無線ＬＡＮ通信を行う。
【００５８】
オペレータ端末３０は、たとえば、キャンペーン会場のオペレータが利用するスマートフォン、タブレット端末、ＰＤＡ（Personal Digital Assistants）、モバイル機能を備えたパーソナルコンピュータ等であり、ネットワーク３に図示されない基地局または中継局等を介して接続可能な端末である。
【００５９】
オペレータ端末３０は、図２に示すように、ＣＰＵ３２と、ＲＯＭ３４と、ＲＡＭ３６と、携帯電話網通信部３８と、無線ＬＡＮ通信部４０と、操作部４２と、操作受付部４４と、表示部４６と、表示制御部４８と、撮像部５０と、スピーカ５２と、マイク５４と、音声制御部５６と、を備える。
【００６０】
オペレータは、たとえば、オペレータ端末３０を利用して、会員登録に必要な個人情報の入力を顧客に入力させ、本人確認用の証明書を撮影するとともに、入力情報と証明書の内容と本人を確認したことを登録する。
【００６１】
ＣＰＵ３２は、オペレータ端末３０の各要素とバス６０を介して接続され、各要素とともにオペレータ端末３０全体を制御する。ＲＯＭ３４は、オペレータ端末３０を動作させるためのプログラムや各種アプリケーションプログラム、それらのプログラムが動作する際に使用する各種設定データなどを記憶するとともに、アドレスデータ、各種コンテンツデータ等を含むユーザデータを記憶する。ＲＡＭ３６は、プログラムが動作するための作業領域など一時的にデータを記憶する領域を有する。
【００６２】
オペレータ端末３０の各構成要素は、上述したＣＰＵ３２、ＲＡＭ３６、ＲＡＭ３６にロードされた図２の構成要素を実現するプログラム、そのプログラムを格納するＲＯＭ３４、ネットワーク接続用インタフェース（携帯電話網通信部３８、無線ＬＡＮ通信部４０）を有する任意のコンピュータのハードウェアとソフトウェアの任意の組合せによって実現される。そして、その実現方法、装置にはいろいろな変形例があることは、当業者には理解されるところである。以下に説明する各図は、ハードウェア単位の構成ではなく、機能単位のブロックを示している。
【００６３】
なお、前述のＲＯＭ３４およびＲＡＭ３６は、フラッシュメモリやディスクドライブなど、基本プログラムおよびアプリケーションプログラムならびに、各プログラムが動作するための設定データや一時保存データ、ユーザデータ等を記憶するための機能を有する他のデバイスであってもよい。
【００６４】
操作部４２は、操作キー、操作ボタン、スイッチ、ジョグダイヤル、タッチパッド、表示部４６と一体になったタッチパネルなどを含む。操作受付部４４は、ユーザによる操作部４２の操作を受け付け、ＣＰＵ３２に通知する。表示部４６は、ＬＥＤ（Light Emitting Diode）表示器や、液晶ディスプレイ、有機ＥＬ（ElectroLuminescence）ディスプレイなどを含む。表示制御部４８は、ＣＰＵ３２からの指示に従い、表示部４６に各種画面表示を行う。音声制御部５６は、ＣＰＵ３２からの指示に従い、スピーカ５２から音声出力、およびマイク５４から音声入力を行う。
【００６５】
携帯電話網通信部３８は、携帯電話網用アンテナ３９を介して、たとえば、３Ｇ（3rd Generation：第３世代携帯電話）方式で、携帯通信網（不図示）に基地局（不図示）を介して接続して通信する。オペレータ端末３０は、携帯通信網からインターネット等のネットワーク３（図１）に接続することができる。
【００６６】
無線ＬＡＮ通信部４０は、無線ＬＡＮ用アンテナ４１を介して、たとえば、IEEE 802.11規格に準拠した方式で、中継装置（不図示）と無線ＬＡＮ通信を行う。
本実施形態では、オペレータ端末３０は、無線ＬＡＮ通信部４０でキャンペーン会場に設置された中継装置と無線ＬＡＮ通信を行いインターネット等のネットワーク３（図１）に接続することもできる。
【００６７】
撮像部５０は、ユーザの操作に応じて撮影を行い、画像データを取得する。本実施形態では、オペレータ端末３０を用いて証明書を撮影する際に撮像部５０を使用する。
【００６８】
本実施形態において、オペレータが操作するオペレータ端末３０の撮像機能（撮像部５０）を利用して顧客の証明書を撮像して得られた証明書の画像を取得するとともに、オペレータ端末３０から証明書の画像を削除させる画像取得部（不図示）を備える。
本実施形態では、画像取得部は、たとえば、オペレータ端末３０に予めインストールされたアプリケーションプログラムにより実現することができる。
情報受信部１０２は、画像取得部が取得した証明書の画像をネットワーク３を介してオペレータ端末３０から受信する。
【００６９】
セキュリティの観点から、画像取得部により撮影された画像データは、オペレータ端末３０の揮発性メモリ上にのみ一時的に記憶されるだけで、情報処理装置１００に画像データを送信処理終了後、直ちに削除され、オペレータ端末３０内部に残らないようになっているのが望ましい。
【００７０】
本実施形態では、証明書の画像データは、オペレータ端末３０から情報処理装置１００に送信されると直ちに削除されるように構成されているので、証明書の画像データが不正に利用されるのを防ぐことができる。
【００７１】
図１には、ユーザ端末１０とオペレータ端末３０は、一つずつのみ図示されているが、複数ずつ備えてもよい。
【００７２】
顧客情報管理装置７０は、顧客の個人情報を含む各種情報を、顧客情報データベース７２に記憶し、管理する。顧客情報データベース７２には、顧客の個人情報、および証明書の画像等、秘匿性の高い情報が蓄積される。そのため、顧客情報管理装置７０では、顧客情報データベース７２の高いセキュリティ管理が要求される。
【００７３】
顧客情報管理装置７０は、たとえば、サーバコンピュータやパーソナルコンピュータ、またはそれらに相当する装置により実現することができる。
顧客情報管理装置７０は、図示しないが、ＣＰＵやメモリ、ハードディスク、および通信装置を備え、キーボードやマウス等の入力装置やディスプレイなどの表示装置やプリンタ等の出力装置と接続されてもよい。
【００７４】
ＣＰＵにより顧客情報管理装置７０の各要素とともに顧客情報管理装置７０全体が制御される。そして、ＣＰＵが、ハードディスクに記憶されるプログラムをメモリに読み出して実行することにより、顧客情報管理装置７０の各構成要素の各機能を実現することができる。
【００７５】
顧客情報管理装置７０は、情報処理装置１００とネットワーク５を介して接続される。ネットワーク５は、ＬＡＮ、またはＷＡＮ（Wide Area Network）等である。顧客情報管理装置７０と情報処理装置１００の間は、セキュリティ確保のため、常時接続は行わず、顧客情報管理装置７０から、情報処理装置１００に対して、ネットワーク５を介して、定期的にまたは随時アクセスして、情報処理装置１００から情報収集等を行う。
【００７６】
顧客情報管理装置７０は、会員ＩＤを、予め複数発行し、複数の会員ＩＤとして会員ＩＤ格納部１２０に格納する。会員ＩＤ格納部１２０は、たとえば、ＣＤ（Compact Disk）、やＤＶＤ（Digital Versatile Disk）、ブルーレイディスク、ハードディスク、ＵＳＢメモリ、各種メモリカード等の各種メディアとすることができる。
【００７７】
本実施形態では、会員ＩＤ格納部１２０は、情報処理装置１００が読み取り可能なポータブルなメディアとする。他の実施形態において、会員ＩＤ格納部１２０は、顧客情報管理装置７０とセキュリティが十分に確保されたネットワークを介して接続できる記憶デバイスであってもよい。
【００７８】
上述のような構成において、本実施の形態の情報処理装置１００によるデータ処理方法を以下に説明する。図７は、本実施形態の情報処理装置１００の動作の一例を示すフローチャートである。
【００７９】
本発明の実施の形態に係る情報処理装置１００のデータ処理方法は、顧客情報管理装置７０により予め確保されており、かつ、顧客へ未だ割り当てられていない複数の会員ＩＤを予備会員ＩＤ格納部１２０に保持し（ステップＳ１０１）、情報処理装置１００が、オペレータによる操作に伴い（ステップＳ１０３のＹＥＳ）、オペレータ端末３０から送信される、顧客のユーザ端末１０のメールアドレスを含む個人情報と該顧客の証明書の画像とを受信し、受信された個人情報および証明書の画像に対応する会員ＩＤを、予備会員ＩＤ格納部１２０に保持される複数の前記会員ＩＤから割り当て（ステップＳ１０５）、割り当てられた会員ＩＤに対応するパスワードを取得し、該会員ＩＤと該パスワードをオペレータ端末３０に提示し（ステップＳ１０７）、オペレータ端末３０に提示された顧客の会員ＩＤとパスワードを用いてログインできる会員用ウェブサイトのＵＲＬを含むメールを、顧客のユーザ端末１０のメールアドレス宛に送信し（ステップＳ１０９）、受信した顧客の個人情報の少なくとも一部と、証明書の画像とを、予め確保されていた複数の会員ＩＤの中の割り当てられた会員ＩＤに対応する情報として顧客情報管理装置７０の顧客情報データベース７２に登録させる（ステップＳ１１１）。
【００８０】
以上説明したように、本発明の実施の形態の情報処理装置１００によれば、会員登録手続きを効率よく、即時に行うことができるという効果を奏する。顧客は、その場で会員ＩＤが発行され、会員登録が完了するので、直ぐにサービスを利用することが可能になる。また、顧客の個人情報の機密性を効率よく守ることができる。
【００８１】
（第２の実施の形態）
本発明の実施の形態に係る情報処理装置２００は、上記実施の形態の情報処理装置１００とは、会員ＩＤの不正利用を防ぐためのログイン停止フラグを設けた点で相違する。
図８は、本実施形態に係る情報処理装置２００の要部構成を示す機能ブロック図である。
本実施形態に情報処理装置２００において、会員ＩＤ格納部１２０は、複数の前記会員ＩＤのそれぞれにログイン停止フラグを予め設定する。
情報処理装置２００は、顧客による会員ＩＤとパスワードの入力の受付に呼応して、会員ＩＤとパスワードを関連付けて会員情報として記憶する会員情報格納部１１０を参照し、受信した会員ＩＤとパスワードを会員情報と照合する認証部２０２と、送信部１０６がメールを送信する顧客の会員ＩＤに関連付けられたログイン停止フラグを解除するログイン停止フラグ解除部２０４と、認証部２０２が認証する際、顧客の会員ＩＤに関連付けられたログイン停止フラグを参照し、ログイン停止フラグが解除されている場合に、認証処理を行い、認証後にＵＲＬのウェブサイトへのログインを許可し、ログイン停止フラグが設定されている場合は、不正利用と判定し、ＵＲＬのウェブサイトへのログインを禁止するログイン制御部２０６と、をさらに備える。
【００８２】
具体的には、情報処理装置２００は、図１の上記実施形態の情報処理装置１００と同様な構成を有するとともに、さらに、認証部２０２と、ログイン停止フラグ解除部２０４と、ログイン制御部２０６と、ログイン停止フラグ保持部２１０（図中、「ログイン停止フラグ」と示す）と、を備える。
【００８３】
認証部２０２は、顧客による会員ＩＤとパスワードの入力の受付に呼応して、会員ＩＤとパスワードを関連付けて会員情報として記憶する会員情報格納部１１０を参照し、受信した会員ＩＤとパスワードを会員情報と照合して認証処理を行う。
【００８４】
ここで、顧客がユーザ端末１０を利用して、情報処理装置１００から送信したメールに記載されたＵＲＬにアクセスしたとき、認証部２０２が、そのウェブページで顧客に、会員ＩＤとパスワードの入力を促す画面を提示する。そして、顧客がユーザ端末１０を用いて、会員ＩＤとパスワードを入力すると、認証部２０２は、入力された会員ＩＤとパスワードを受け付けることができる。
【００８５】
ログイン停止フラグ保持部２１０は、複数の会員ＩＤのそれぞれに関連付けられたログイン停止フラグを保持する。ログイン停止フラグは、会員ＩＤ格納部１２０に格納されている複数の会員ＩＤそれぞれに対応付けて、予め設定される。ログイン停止フラグが設定されている場合、情報処理装置１００は、該当する会員ＩＤのログインを許可しない。ログイン停止フラグは、これらに限定されないが、会員ＩＤが発行され、会員ＩＤ格納部１２０に格納されたとき、または、情報処理装置１００が会員ＩＤ格納部１２０から会員ＩＤを読み込んだとき等の所定のタイミングで設定することができる。
【００８６】
図８では、会員ＩＤ格納部１２０とログイン停止フラグ保持部２１０と会員情報格納部１１０は、それぞれ別の記憶部となっているが、これに限定されない。たとえば、ログイン停止フラグを会員ＩＤそのものに含める、あるいは、会員情報格納部１１０の会員ＩＤに関連付けて記憶する等、他の形態とすることもできる。
【００８７】
上述したように、本実施形態では、ログイン停止フラグ保持部２１０に保持されているログイン停止フラグは予め設定（たとえば、「１」、または「Ｔｒｕｅ」等）されている。ログイン停止フラグ解除部２０４は、ログイン停止フラグ保持部２１０にアクセスし、送信部１０６がメールを送信する顧客の会員ＩＤに関連付けられたログイン停止フラグを解除（たとえば、「０」、または「Ｆａｌｓｅ」等）する。
【００８８】
ログイン制御部２０６は、認証部２０２が認証処理を行う際、顧客の会員ＩＤに関連付けられたログイン停止フラグ保持部２１０のログイン停止フラグを参照し、ログイン停止フラグが解除されている場合に、認証処理を行い、認証後にＵＲＬのウェブサイトへのログインを許可する。一方、ログイン制御部２０６は、ログイン停止フラグ保持部２１０のログイン停止フラグが設定されている場合は、不正利用と判定し、ＵＲＬのウェブサイトへのログインを禁止する。
【００８９】
このように構成された本実施形態の情報処理装置２００の動作について、以下に説明する。
図９は、本実施形態の情報処理装置２００の動作の一例を示すフローチャートである。
まず、ログイン停止フラグ解除部２０４が、複数の会員ＩＤのそれぞれに関連付けてログイン停止フラグ保持部２１０のログイン停止フラグを予め設定する（ステップＳ２０１）。なお、会員ＩＤ発行時にフラグを設定する場合は、顧客情報管理装置７０がこのステップＳ２０１の処理を行う。
【００９０】
そして、ログイン停止フラグ解除部２０４が、メールを送信する顧客の会員ＩＤに対応するログイン停止フラグを解除する（ステップＳ２０３）。フラグを解除するタイミングは、ユーザ端末１０へのメール（会員登録用ウェブページのＵＲＬアドレス記載のメール）の送信前でも後でもよい。
【００９１】
そして、認証部２０２が、顧客による会員ＩＤとパスワードの入力の受付に呼応して（ステップＳ２０５のＹＥＳ）、認証処理を行う際、ログイン制御部２０６が、ログイン停止フラグ保持部２１０にアクセスし、顧客の会員ＩＤに関連付けられたログイン停止フラグを参照し、ログイン停止フラグが解除されている場合に（ステップＳ２０７のＹＥＳ）、認証部２０２に認証処理を行なわせる（ステップＳ２０９）。このとき、認証部２０２は、会員ＩＤとパスワードを関連付けて会員情報として記憶する会員情報格納部１１０を参照し、受信した会員ＩＤとパスワードを会員情報と照合して認証処理を行う。認証部２０２による認証後に（ステップＳ２１１のＹＥＳ）、送信部１０６が、ユーザ端末１０によるＵＲＬのウェブサイトへのログインを許可する（ステップＳ２１３）。
【００９２】
一方、ログイン制御部２０６が、ログイン停止フラグ保持部２１０にアクセスし、ログイン停止フラグが設定されている場合は（ステップＳ２０７のＮＯ）、不正利用と判定し、ユーザ端末１０によるＵＲＬのウェブサイトへのログインを禁止する（ステップＳ２１５）。または、認証部２０２により認証されなかった場合にも（ステップＳ２１１のＮＯ）、ユーザ端末１０によるＵＲＬのウェブサイトへのログインを禁止する（ステップＳ２１５）。
【００９３】
このようにして、予め複数発行された会員ＩＤが不正に使用された場合には、ログイン停止フラグが解除されてないため、ログインできないようになっている。
【００９４】
以上説明したように、本発明の実施の形態に係る情報処理装置２００によれば、上記実施形態と同様な効果を奏するとともに、さらに、予め複数発行されて会員ＩＤ格納部１２０に保持された会員ＩＤの不正利用を防ぐことができる。
【００９５】
（第３の実施の形態）
本発明の実施の形態に係る情報処理装置３００は、上記実施の形態の情報処理装置２００とは、キャンペーン会場等で、即時発行された会員ＩＤとともに仮のパスワードを顧客に提示し、メールを送信したウェブサイトにログインした後、パスワードの変更を受け付けることで正式な会員登録処理が終了する点で相違する。
【００９６】
図１０は、本実施形態に係る情報処理装置３００の要部構成を示す機能ブロック図である。
図１０に示すように、本実施形態の情報処理装置３００は、上記実施形態の情報処理装置２００と同様な構成を有するとともに、さらに、仮パスワード設定３０２と、即時ＩＤ発行フラグ設定部３０４と、パスワード更新部３０６と、即時ＩＤ発行フラグ保持部３１０（図中、「即時ＩＤ発行フラグ」と示す）とを備える。
【００９７】
即時ＩＤ発行フラグとは、会員ＩＤ毎に設定され、その会員ＩＤが、通常の登録申込み毎に発行されたものではなく、本発明の情報処理装置で発行された、すなわち、キャンペーン会場等で即時に会員登録を行うために会員ＩＤを複数事前に発行したものであることを示すフラグである。
【００９８】
本実施形態の情報処理装置３００において、仮パスワード設定３０２は、提示部１０４が顧客に会員ＩＤとともに提示するパスワードを仮のパスワードとし、互いに関連付けて顧客の会員情報として、会員情報格納部１１０に格納する。
即時ＩＤ発行フラグ設定部３０４は、情報受信部１０２が顧客の個人情報と証明書の画像と関連付けた会員ＩＤに対し、即時ＩＤ発行フラグを設定（たとえば、「１」、または「Ｔｒｕｅ」等）する。パスワード更新部３０６は、顧客のユーザ端末１０からＵＲＬの会員用ウェブサイトにアクセスされたとき、認証部２０２が、認証する会員ＩＤに関連付けられた即時ＩＤ発行フラグ保持部３１０を参照し、即時ＩＤ発行フラグが設定されている場合、仮のパスワードの変更を顧客に促し、新たなパスワードを受け付けて会員情報格納部１１０の会員情報を更新する。
そして、即時ＩＤ発行フラグ設定部３０４は、パスワード更新部３０６がパスワードを更新したとき、即時ＩＤ発行フラグ保持部３１０の即時ＩＤ発行フラグを解除（たとえば、「０」、または「Ｆａｌｓｅ」等）する。
【００９９】
図１０では、即時ＩＤ発行フラグ保持部３１０と会員情報格納部１１０は、それぞれ別の記憶部となっているが、これに限定されない。たとえば、即時ＩＤ発行フラグを会員ＩＤそのものに含める、あるいは、会員情報格納部１１０の会員ＩＤに関連付けて記憶する等、他の形態とすることもできる。
【０１００】
このように構成された本実施形態の情報処理装置３００の動作について、以下説明する。
図１１は、本実施形態の情報処理装置３００の動作の一例を示すフローチャートである。
まず、仮パスワード設定３０２が、提示部１０４が顧客に会員ＩＤとともに提示するパスワードを仮のパスワードとし、互いに関連付けて顧客の会員情報として、会員情報格納部１１０に格納する（ステップＳ３０１）。
また、即時ＩＤ発行フラグ設定部３０４が、情報受信部１０２が顧客の個人情報と証明書の画像と関連付けた会員ＩＤに対し、即時ＩＤ発行フラグを設定する（ステップＳ３０３）。
ここで、顧客のユーザ端末１０からＵＲＬの会員用ウェブサイトにアクセスされたとき（ステップＳ３０５のＹＥＳ）、認証部２０２が認証すべき会員ＩＤに関連付けられた即時ＩＤ発行フラグ保持部３１０を参照し、即時ＩＤ発行フラグが設定されている場合（ステップＳ３０７のＹＥＳ）、パスワード更新部３０６が、仮のパスワードの変更を顧客に促し（ステップＳ３０９）、新たなパスワードを受け付けて会員情報格納部１１０の会員情報を更新する（ステップＳ３１１）。また、即時ＩＤ発行フラグ設定部３０４が、パスワード更新部３０６がパスワードを更新したとき、即時ＩＤ発行フラグ保持部３１０の即時ＩＤ発行フラグを解除する（ステップＳ３１３）。
一方、即時ＩＤ発行フラグが解除されている場合（ステップＳ３０７のＮＯ）、即時発行の会員ＩＤではなく、仮パスワードの更新処理は不要なので、ステップＳ３０９以降を省略し、本処理を終了する。
【０１０１】
また、提示部１０４が、仮のパスワードを発行したときから、仮のパスワードの有効期限を設定する有効期限管理部（不図示）を備えてもよい。
パスワード更新部３０６は、仮のパスワードの有効期限を確認し、有効期限内の場合に、新たなパスワードを受け付け、会員情報格納部１１０の会員情報のパスワードを更新する。有効期限、たとえば、２４時間等を過ぎている場合は、所定の手続きを行い、再度、仮パスワードの発行を受けることとなる。これらの処理は、様々な態様が考えられ、特に限定されない。
【０１０２】
以上説明したように、本発明の実施の形態の情報処理装置３００によれば、上記実施形態と同様な効果を奏するとともに、さらに、即時発行時の登録作業を効率よく行え、かつ、個人情報の信頼性を向上でする。その理由は、即時発行の場合には、オペレータ端末３０に提示するパスワードを仮発行とした上で、顧客のユーザ端末１０からログイン時に正式なパスワードの登録を行って、正式な会員登録とすることができるので、オペレータ端末３０から入力された個人情報と、顧客のユーザ端末１０との紐付けを確実なものにすることができるからである。
【０１０３】
以上、図面を参照して本発明の実施形態について述べたが、これらは本発明の例示であり、上記以外の様々な構成を採用することもできる。
たとえば、他の実施形態において、情報受信部１０２は、さらに、顧客が主に購入する商品の情報を受信してもよい。たとえば、商品に添付されているバーコード等を、オペレータ端末３０を用いて読み取らせたり、あるいは、オペレータ端末３０上に、商品情報の入力フォームを提示し、テキスト入力欄への入力や、リストからの選択等により商品情報を受け付け、オペレータ端末３０から受信することができる。
たとえば、商品がたばこ等の場合、情報受信部１０２は、顧客の主喫銘柄を受け付ける。たとえば、顧客の主喫銘柄の情報に基づいて、顧客のニーズにあったサービスの提供を実現できる。
【０１０４】
また、他の実施形態において、情報受信部１０２は、さらに、顧客がダイレクトメール（電子メールまたは郵送）の送付を希望するか否か、希望する場合の宛先の指定等の情報を受信してもよい。情報処理装置は、希望者に指定された宛先にダイレクトメールを送ることができる。
【０１０５】
また、他の実施形態において、オペレータ端末３０において、顧客またはオペレータにより、個人情報の入力が行われた後、撮影された証明書の画像の情報と、入力された情報が一致しているかを、オペレータまたは顧客が確認しやすいように、レイアウトを変更して提示してもよい。たとえば、入力されたデータと、画像から取得したデータを並べて提示したり、確認したい項目の近傍に証明書の画像を移動して表示したりしてもよい。
【０１０６】
あるいは、証明書の画像と入力フォームの入力欄の項目の対応するもの同士について、いずれかを選択した時、相手側の項目を強調表示（反転、色替え、サイズ拡大、下線、枠囲み、３Ｄ、ブリンク表示等）させることで、互いを確認し易くすることもできる。
【０１０７】
証明書の各項目の配置は、予め配置が決まっているものであれば、証明書の種別を指定または画像認識することで取得できる。予め配置が決まっていない場合は、証明書の画像からパターン認識処理等により、所定の情報の配置を取得してもよい。
【０１０８】
また、証明書の画像から、ＯＣＲ（Optical Character Reader）を用いて、テキスト情報を抽出し、自動的に入力された情報と照合する構成とすることもできる。一般的な証明書であれば、記載項目位置が予め定められているため、精度よくＯＣＲ処理で情報抽出を行うことが可能である。
【０１０９】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者に関する情報を取得、利用する場合は、これを適法に行うものとする。
【符号の説明】
【０１１０】
１  情報処理システム
３  ネットワーク
５  ネットワーク
１０  ユーザ端末
３０  オペレータ端末
３２  ＣＰＵ
３４  ＲＯＭ
３６  ＲＡＭ
３８  携帯電話網通信部
３９  携帯電話網用アンテナ
４０  無線ＬＡＮ通信部
４１  無線ＬＡＮ用アンテナ
４２  操作部
４４  操作受付部
４６  表示部
４８  表示制御部
５０  撮像部
５２  スピーカ
５４  マイク
５６  音声制御部
６０  バス
７０  顧客情報管理装置
７２  顧客情報データベース
１００  情報処理装置
１０２  情報受信部
１０４  提示部
１０６  送信部
１０８  顧客情報登録部
１１０  会員情報格納部
１２０  会員ＩＤ格納部
１５０  個人情報入力画面
１５２  個人情報入力欄
１５４  確認操作ボタン
１６０  内容確認画面
１７０  登録確認画面
１７２  個人情報表示部
１７４  証明書画像表示部
１７６  登録操作ボタン
１８０  登録完了画面
２００  情報処理装置
２０２  認証部
２０４  ログイン停止フラグ解除部
２０６  ログイン制御部
２１０  ログイン停止フラグ保持部
３００  情報処理装置
３０２  仮パスワード設定
３０４  発行フラグ設定部
３０６  パスワード更新部
３１０  発行フラグ保持部
【図１】
2014081724.tif 000003
【図２】
2014081724.tif 000004
【図３】
2014081724.tif 000005
【図４】
2014081724.tif 000006
【図５】
2014081724.tif 000007
【図６】
2014081724.tif 000008
【図７】
2014081724.tif 000009
【図８】
2014081724.tif 000010
【図９】
2014081724.tif 000011
【図１０】
2014081724.tif 000012
【図１１】
2014081724.tif 000013